(57)【要約】【課題】塵埃の分離性能が向上し、集塵された塵埃の逆流が防止される真空掃除機の集塵装置を提供する。【解決手段】本発明の真空掃除機の集塵装置には、吸い込まれた空気中の塵埃を分離させる分離空間が形成される塵埃分離部と、塵埃分離部から分離された塵埃が捕集される塵埃捕集部が形成される集塵ボディーと、分離空間と塵埃捕集部とを連通させ、分離された塵埃が分離空間から接線方向に排出されるようにガイドする塵埃ガイド流路と、が含まれる。【選択図】図５
2007275591.tif 000002
【特許請求の範囲】
【請求項１】
吸い込まれた空気中の塵埃を分離させる分離空間が形成される塵埃分離部と、
前記塵埃分離部から分離された塵埃が捕集される塵埃捕集部が形成される集塵ボディーと、
前記分離空間と前記塵埃捕集部とを連通させ、前記分離された塵埃が前記分離空間から接線方向に排出されるようにガイドする塵埃ガイド流路と、が含まれる真空掃除機の集塵装置。
【請求項２】
前記塵埃ガイド流路は、前記分離空間の外側に提供される請求項１に記載の真空掃除機の集塵装置。
【請求項３】
前記塵埃分離部には、前記分離空間を形成するサイクロン部と、前記サイクロン部の底面をなす底面部と、が含まれる請求項１に記載の真空掃除機の集塵装置。
【請求項４】
前記塵埃分離部には、前記集塵ボディーと対応する大きさに形成される外壁と、内部に前記分離空間が形成されるサイクロン部及び前記サイクロン部と外壁とを連結する底面部と、が含まれ、
前記塵埃ガイド流路は、前記外壁とサイクロン部との間の空間に形成される請求項１に記載の真空掃除機の集塵装置。
【請求項５】
前記分離された塵埃は、側方向から前記塵埃ガイド流路に流入して下方に排出される請求項３又は４に記載の真空掃除機の集塵装置。
【請求項６】
前記塵埃ガイド流路の入口は、前記サイクロン部の側方に形成され、前記ガイド流路の出口は、前記底面部に形成される請求項３又は４に記載の真空掃除機の集塵装置。
【請求項７】
前記底面部の直径は、前記サイクロン部の直径より大きい請求項３又は４に記載の真空掃除機の集塵装置。
【請求項８】
前記サイクロン部は、前記底面部に対して偏心するように形成される請求項３又は４に記載の真空掃除機の集塵装置。
【請求項９】
前記塵埃ガイド流路の入口側には、塵埃の接線方向の流動をガイドするガイドリブが前記サイクロン部の接線方向に形成される請求項６に記載の真空掃除機の集塵装置。
【請求項１０】
前記塵埃ガイド流路を形成する上面部は、前記入口側から出口側に下方に折り曲げ成形される請求項６に記載の真空掃除機の集塵装置。
【請求項１１】
前記塵埃ガイド流路の断面積は、入口側から出口側に行くほど小さくなる請求項６に記載の真空掃除機の集塵装置。
【請求項１２】
前記塵埃ガイド流路の入口側の端部には、前記塵埃捕集部に捕集された塵埃の逆流を防止する逆流防止リブが水平方向に伸びて成形されることを特徴とする請求項６に記載の真空掃除機の集塵装置。
【請求項１３】
前記集塵ボディーには、前記分離空間と前記塵埃捕集部とを区画する区画板が含まれる請求項１に記載の真空掃除機の集塵装置。
【請求項１４】
吸い込まれた空気中の塵埃を分離させる分離空間が形成される塵埃分離部と、
前記塵埃分離部が収納され、前記分離空間から分離された塵埃が捕集される塵埃捕集部が形成される集塵ボディーと、
前記分離空間の外部に形成され、前記分離された塵埃が前記塵埃捕集部に移動するようにガイドする塵埃ガイド流路と、が含まれる真空掃除機の集塵装置。
【請求項１５】
前記分離された塵埃は、前記分離空間から接線方向に前記塵埃ガイド流路に排出される請求項１４に記載の真空掃除機の集塵装置。
【請求項１６】
前記塵埃分離部には、前記分離空間を形成するサイクロン部と、底面をなす底面部と、が形成される請求項１５に記載の真空掃除機の集塵装置。
【請求項１７】
前記塵埃ガイド流路の入口は、前記サイクロン部の側方に形成され、出口は、前記底面部に形成される請求項１６に記載の真空掃除機の集塵装置。
【請求項１８】
前記出口は、前記サイクロン部の外側に位置する請求項１７に記載の真空掃除機の集塵装置。
【請求項１９】
前記塵埃分離部の上側に結合され、前記集塵ボディーの上側を選択的に開閉させるカバー部材がさらに含まれる請求項１４に記載の真空掃除機の集塵装置。
【請求項２０】
吸い込まれた空気中の塵埃を分離させる塵埃分離部と、前記塵埃分離部から分離された塵埃が捕集される塵埃捕集部と、が形成される集塵ボディーと、
前記塵埃分離部と前記塵埃捕集部とを区画する区画板と、
前記塵埃分離部の外側に提供され、分離された塵埃が前記塵埃捕集部に移動するようにガイドする塵埃ガイド流路と、が含まれる真空掃除機の集塵装置。
【請求項２１】
前記分離された塵埃は、前記塵埃分離部から接線方向に前記塵埃ガイド流路に排出される請求項２０に記載の真空掃除機の集塵装置。
【請求項２２】
前記区画板には、前記塵埃ガイド流路の出口が形成される請求項２０に記載の真空掃除機の集塵装置。
【請求項２３】
前記塵埃ガイド流路に流入する空気の流入方向成分と前記塵埃ガイド流路から排出される塵埃の排出方向成分は、所定の角度をなす請求項２０に記載の真空掃除機の集塵装置。
【発明の詳細な説明】
【技術分野】
【０００１】
本発明は、真空掃除機の集塵装置に関し、詳細には、塵埃の分離性能が向上し、集塵された塵埃の逆流が防止される真空掃除機の集塵装置に関する。
【背景技術】
【０００２】
一般に、真空掃除機は、本体の内部に装着される吸込モータによって発生する真空圧を利用して、塵埃が含まれている空気を吸い込んだ後、本体の内部から塵埃を分離する装置である。
【０００３】
かかる真空掃除機は、大きく被掃除面の塵埃が含まれた空気を吸い込むノズル部が本体とは別途に備えられて、連結管によって連結されるキャニスタ方式と、ノズル部が本体と一体に形成されるアップライト方式に区別することができる。
【０００４】
一方、真空掃除機に装着される集塵装置は、塵埃が含まれた空気が吸い込まれる吸込管が形成され、内部に塵埃捕集部が形成される集塵容器と、吸込管を介して吸い込まれた空気中の塵埃が分離されるようにする塵埃分離部と、塵埃分離部内に流入した空気が排出される排出孔と、塵埃をろ過するフィルタと、が含まれる。
【０００５】
このとき、集塵容器の内部空間は、隔壁により区画された状態に塵埃分離部と塵埃捕集部が形成され、隔壁には、塵埃捕集部への塵埃排出のための塵埃排出孔が形成される。
【０００６】
上記のような構成からなる集塵装置の作動を簡単に説明する。吸込モータが駆動されると、塵埃が含まれた空気が集塵容器の内部に吸い込まれる。このとき、塵埃が含まれた空気は、塵埃分離部で塵埃分離過程を経る。そして、塵埃が分離された空気は、排出孔を介して排出され、分離された塵埃は、塵埃排出孔を介して集塵容器の底部である塵埃捕集部内に排出される。
【０００７】
ところが、従来の集塵装置によると、隔壁に形成された塵埃排出孔によって、分離された塵埃が塵埃捕集部に自重によって落下するように構成されることによって、相対的に密度の大きな塵埃は、塵埃排出孔を介して下方によく落下するが、相対的に密度の小さな塵埃は、塵埃排出孔を介して落下せず、塵埃分離部にそのまま残るという問題が発生する。
【０００８】
すなわち、塵埃分離過程での塵埃の流動方向と分離された後の塵埃の流動方向が異なって形成されることによって、分離された塵埃が完全に塵埃捕集空間に落下できなくなることである。
【０００９】
そして、このように密度の小さな塵埃が塵埃分離部に残っていることによって、塵埃分離部に備えられたフィルタの表面に塵埃が蓄積されて、空気の流動が円滑にならず、空気中の塵埃除去が円滑にならない。
【００１０】
また、従来の集塵装置によると、隔壁に塵埃排出孔が形成され、塵埃排出孔を介して分離された塵埃が落下するように構成されることによって、塵埃分離過程で塵埃捕集部に捕集された塵埃が回転気流によって飛散及び浮遊し、塵埃排出孔を介して塵埃分離部に逆流するという問題が発生する。
【００１１】
そして、このような逆流塵埃によって、塵埃分離部の塵埃分離性能が低下するという問題が発生する。
【発明の開示】
【発明が解決しようとする課題】
【００１２】
本発明は、上述の問題点に鑑みてなされたもので、その目的は、塵埃分離部から分離された塵埃が塵埃捕集部に容易に落下するようにする真空掃除機の集塵装置を提供することにある。
【００１３】
また、本発明の他の目的は、塵埃捕集部に捕集された塵埃が塵埃分離部に逆流する現象が防止されるようにする真空掃除機の集塵装置を提供することにある。
【課題を解決するための手段】
【００１４】
上記の目的を達成すべく、本発明に係る真空掃除機の集塵装置は、吸い込まれた空気中の塵埃を分離させる分離空間が形成される塵埃分離部と、塵埃分離部から分離された塵埃が捕集される塵埃捕集部が形成される集塵ボディーと、分離空間と塵埃捕集部とを連通させ、分離された塵埃が分離空間から接線方向に排出されるようにガイドする塵埃ガイド流路と、が含まれる。
【００１５】
また、上記の目的を達成すべく、本発明に係る真空掃除機の集塵装置には、吸い込まれた空気中の塵埃を分離させる分離空間が形成される塵埃捕集部と、塵埃捕集部が収納され、分離空間から分離された塵埃が捕集される塵埃捕集部が形成される集塵ボディーと、分離空間の外部に形成され、分離された塵埃が塵埃捕集部に移動するようにガイドする塵埃ガイド流路と、が含まれる。
【００１６】
また、上記の目的を達成すべく、本発明に係る真空掃除機の集塵装置には、吸い込まれた空気中の塵埃を分離させる塵埃分離部と、塵埃分離部から分離された塵埃が捕集される塵埃捕集部と、が形成される集塵ボディーと、塵埃分離部と塵埃捕集部とを区画する区画板と、塵埃分離部の外側に提供され、分離された塵埃が塵埃捕集部に移動するようにガイドする塵埃ガイド流路と、が含まれる。
【発明の効果】
【００１７】
本発明によると、空気と分離された塵埃が塵埃分離部から接線方向に排出されるようにガイドする塵埃ガイド流路が形成されることによって、塵埃分離部での塵埃分離性能が向上するという効果がある。
【００１８】
すなわち、塵埃分離部の内部に流入する空気及び塵埃の流動方向と順応する方向に分離された塵埃が排出されるようにすることによって、密度の比較的大きな塵埃だけでなく、密度の比較的小さな塵埃も塵埃分離部から容易に排出され得るようになって、塵埃分離部に塵埃が残らなくなる。
【００１９】
そして、塵埃分離部に密度の小さな塵埃が残らなくなることにより、密度の小さな塵埃がフィルタ部材に残らなくなり、フィルタ部材が通孔を塞がなくなって、円滑に空気が流入及び排出され、塵埃分離性能が向上する。
【００２０】
また、塵埃ガイド流路が塵埃分離部の外側に別途に提供され、塵埃ガイド流路に流入した塵埃の流動方向がその内部で切り替えられるように構成されることによって、塵埃捕集部に捕集された塵埃の飛散及び逆流が防止されるという効果がある。
【発明を実施するための最良の形態】
【００２１】
以下、本発明の好ましい実施の形態を、添付図面に基づき詳細に説明する。
【００２２】
図１は、本発明の一実施の形態に係る真空掃除機の外観斜視図である。
【００２３】
図１に示すように、本発明の一実施の形態に係る真空掃除機１０には、掃除機本体１００と、掃除機本体１００に分離可能に装着される集塵装置２００と、が含まれる。
【００２４】
そして、図１に示していないが、塵埃が含まれた空気を吸い込む吸込ノズルと、吸込ノズルが掃除機本体１００に連結されるようにする連結管と、がさらに含まれる。
【００２５】
本実施の形態において、吸込ノズル及び連結管の基本的な構成は、従来と同様なので、これについての詳細な説明は省略する。
【００２６】
詳細には、掃除機本体１００の前面の下端部には、吸込ノズルから吸い込まれた塵埃が含まれた空気が吸い込まれる本体吸込部１１０が形成される。そして、掃除機本体１００の一側面には、塵埃が分離された空気が排出される本体排出部（図示せず）が形成される。そして、掃除機本体１００の上部には、ユーザの把持を可能にする本体取っ手部１２０が形成される。
【００２７】
また、集塵装置２００は、掃除機本体１００の前方部に着脱可能に装着される。このとき、集塵装置１００を着脱可能にするために、掃除機本体１００の前方の上側部には、着脱手段１３０が備えられる。
【００２８】
そして、集塵装置２００は、空気中の塵埃がサイクロン方式によって分離されるようにする。これにより、集塵装置２００には、サイクロン流動を発生させる第１サイクロン部（後述する）と、第１サイクロン部から分離された塵埃が捕集される塵埃捕集部が形成される集塵ボディー２１０と、が含まれる。
【００２９】
そして、第１サイクロン部によって一次的に塵埃が分離された空気から再度塵埃を分離させるために、掃除機本体１００には、第２サイクロン部３００が備えられる。
【００３０】
詳細には、集塵装置２００は、上述のように、掃除機本体１００に着脱可能に装着され、集塵装置２００が掃除機本体１００に装着されることによって、第２サイクロン部３００と連通する。
【００３１】
そして、第２サイクロン部３００は、略円錐状のサイクロンが複数結合されて、全体的に扇形形状を有し、掃除機本体１００の前方の上部に備えられる。
【００３２】
そして、掃除機本体１００の内部には、集塵装置２００と第２サイクロン部３００とを連結する連通流路が備えられる。そして、第２サイクロン部３００から分離された塵埃は、集塵装置２００の内部に捕集される。
【００３３】
このために、集塵ボディー２１０には、第２サイクロン部３００から分離された塵埃が捕集される塵埃捕集部が別途に形成される。
【００３４】
すなわち、集塵ボディー２１０に形成される塵埃捕集部には、第１サイクロン部によって分離された塵埃が捕集される第１塵埃捕集部と、第２サイクロン部３００によって分離された塵埃が捕集される第２塵埃捕集部と、が含まれる。塵埃捕集部については、図面を参照して後述する。
【００３５】
上記の構成によって、真空掃除機１０の作用について簡単に説明する。
【００３６】
まず、真空掃除機１０に電源が印加されて掃除機本体１００が作動すると、内部に備えられた吸込モータによって吸込力が発生する。そして、吸込力によって吸込ノズルに吸い込まれた塵埃が含まれた空気は、連結管及び掃除機本体１００の内部に形成された所定の流路に沿って、集塵装置２００に吸い込まれる。
【００３７】
そして、塵埃が含まれた空気が集塵装置２００に吸い込まれると、吸い込まれた空気は、第１サイクロン部によって塵埃が一次的に分離される。そして、分離された塵埃は、集塵ボディー２１０の内部に捕集される一方、塵埃が分離された空気は、集塵装置２００から排出されて掃除機本体１００に流入し、掃除機本体１００に備えられた連結流路によって、第２サイクロン部３００に流入する。
【００３８】
そして、第２サイクロン部３００に流入した空気は、再度塵埃が分離され、分離された塵埃は、集塵装置２００の内部に流入して捕集され、塵埃が分離された空気は、掃除機本体１００の内部の所定の流路に沿って流動した後、最終的に本体排出部を介して外部に排出される。
【００３９】
以下では、本発明の一実施の形態に係る集塵装置２００の構成について詳細に説明する。
【００４０】
図２は、本発明の一実施の形態に係る集塵装置の斜視図であり、図３は、集塵装置の分解斜視図であり、図４は、集塵装置の垂直断面図である。
【００４１】
図２〜図４に示すように、本発明の一実施の形態に係る集塵装置２００は、外形をなす集塵ボディー２１０と、集塵ボディー２１０の内部に選択的に収納され、吸い込まれた空気から塵埃を一次的に分離させる第１サイクロン部２３１が提供される塵埃分離部２３０と、集塵ボディー２１０の上側を選択的に開閉させるカバー部材２７０と、が含まれて構成される。
【００４２】
詳細には、集塵ボディー２１０は、略円筒状に形成され、その内部に分離された塵埃が捕集される塵埃捕集部が形成される。
【００４３】
そして、塵埃捕集部には、第１サイクロン部２３１から分離された塵埃が捕集される第１塵埃捕集部２１４と、第２サイクロン部３００から分離された塵埃が捕集される第２塵埃捕集部２１６と、が含まれる。
【００４４】
ここで、集塵ボディー２１０は、第１塵埃捕集部２１４が形成されるようにする第１壁２１１と、第１壁２１１との関係で第２塵埃捕集部２１６が形成されるようにする第２壁２１２と、で構成される。すなわち、第２壁２１２は、第１壁２１１の外側を取り囲むように形成される。そして、塵埃分離部２３０は、第１塵埃捕集部２１４に収納される。
【００４５】
そして、第１壁２１１には、その内部に収納された塵埃分離部２３０の下端を支持する顎部２１９が円周方向に形成される。したがって、顎部２１９を基準に第１塵埃捕集部２１４の上部は、下部より大きい直径を有する。
【００４６】
そして、集塵ボディー２１０には、塵埃が含まれた空気が吸い込まれるようにする吸込管２１８が形成される。
【００４７】
そして、集塵ボディー２１０は、ユーザが集塵ボディー２１０をひっくり返して塵埃を排出し得るように開口された上端を有し、集塵ボディー２１０の上部には、カバー部材２７０が分離可能に結合される。
【００４８】
一方、塵埃分離部２３０は、上述のように、第１塵埃捕集部２１４に収納され、吸い込まれた空気及び塵埃がサイクロン流動によって相互分離されるように機能する。
【００４９】
そして、塵埃分離部２３０には、吸い込まれた空気中の塵埃がサイクロン流動によって分離されるようにする円筒状の第１サイクロン部２３１と、分離された塵埃が第１塵埃捕集部２１４に容易に排出されるようにガイドする塵埃ガイド流路２４０と、が含まれる。
【００５０】
そして、第１サイクロン部２３１の吸込管２１８と対応する位置には、塵埃が含まれた空気が吸い込まれる吸込部２３６が形成される。したがって、塵埃分離部２３０が集塵ボディー２１０に収納されると、吸込部２３６は、吸込管２１８と連通する。
【００５１】
このとき、吸込部２３６は、吸い込まれる空気が第１サイクロン部２３１の内周面に沿って螺旋流動され得るように、第１サイクロン部２３１に接線方向に形成される。そして、集塵ボディー２１０に形成される吸込管２１８も、第１サイクロン部２３１の接線方向に形成される。
【００５２】
塵埃ガイド流路２４０は、分離された塵埃が第１サイクロン部２３１から接線方向に流入するようにした後、下方に落下するようにガイドする。塵埃ガイド流路２４０については、図面を参照して後述する。
【００５３】
そして、塵埃分離部２３０は、集塵ボディー２１０の内部に捕集された塵埃を排出する際に、カバー部材２７０と共に分離され得るように、カバー部材２７０の下側に結合される。
【００５４】
一方、カバー部材２７０は、上述のように、集塵ボディー２１０の上側に着脱可能に結合される。すなわち、カバー部材２７０は、第１塵埃捕集部２１４と第２塵埃捕集部２１６を同時に開閉する。
【００５５】
そして、カバー部材２７０の下側には、塵埃分離部２３０が結合される。ここで、本実施の形態は、カバー部材２７０に塵埃分離部２３０が結合されるように構成されるが、これとは異なり、塵埃分離部２３０とカバー部材２７０とが一体に形成されることができることを明らかにする。
【００５６】
詳細には、カバー部材２７０には、第１サイクロン部２３１から塵埃が分離された空気が排出される空気排出孔２７２が貫通して成形される。そして、空気排出孔２７２には、外周面に所定の大きさの通孔２５２が複数形成されたフィルタ部材２５０の上端が結合される。
【００５７】
したがって、第１サイクロン部２３１内で一次的に塵埃分離過程を経た空気は、フィルタ部材２５０を経て空気排出孔２７２に排出される。
【００５８】
また、カバー部材２７０には、第２サイクロン部３００から分離された塵埃が流入する塵埃流入口２７４が形成される。そして、カバー部材２７０の底面には、塵埃流入口２７４に流入した塵埃が第２塵埃捕集部２１６に排出されるようにする塵埃排出口２７６が形成される。
【００５９】
以下では、本発明の要部構成である塵埃分離部２３０の構成について、さらに詳細に説明する。
【００６０】
図５及び図６は、本発明の思想に係る塵埃分離部の外観斜視図であり、図７は、塵埃分離部の平面図である。
【００６１】
図５〜図７に示すように、本発明の思想に係る塵埃分離部２３０は、吸い込まれる空気中の塵埃を一次的に分離する機能を果たす。
【００６２】
詳細には、塵埃分離部２３０は、カバー部材２７０に結合された状態で第１塵埃捕集部２１４に収納される。そして、塵埃分離部２３０には、塵埃がサイクロン流動によって分離されるようにする第１サイクロン部２３１と、底面をなす底面部２３２と、が含まれる。
【００６３】
さらに詳細には、第１サイクロン部２３１は略円筒状に形成されて、吸い込まれる空気が第１サイクロン部２３１の内周面に沿って螺旋流動されるようにする。そして、第１サイクロン部２３１の上側部には、第１サイクロン部２３１の内部に空気が吸い込まれるようにする吸込部２３６が形成され、吸込部２３６は、上述のように、第１サイクロン部２３１の接線方向に形成される。
【００６４】
したがって、吸込部２３６を介して接線方向に吸い込まれた空気は、第１サイクロン部２３１の内周面に沿って旋回（ｗｈｉｒｌｉｎｇ）しながら落下し、この過程で、空気と塵埃は、その重量差によりそれぞれ異なる遠心力を受けながら互いに分離される。
【００６５】
そして、底面部２３２は、略円状に形成され、外径が第１塵埃捕集部２１４の内径と対応するように形成される。詳細には、底面部２３２の外径は、顎部２１９によって上下に区分される第１塵埃捕集部２１４の上側部の内径と対応する大きさに形成される。
【００６６】
そして、底面部２３２の直径は、第１サイクロン部２３１の直径より大きく形成される。そして、図７に示すように、第１サイクロン部２３１の中心Ｃ２は、底面部２３２の中心Ｃ１に対して偏心するように形成され、詳細には、第１サイクロン部２３１は、底面部２３２と単一の共通接線を有する位置に形成される。その理由は、以下で説明する塵埃ガイド流路２４０の幅を確保して、塵埃の流動が円滑になるようにするためである。
【００６７】
また、塵埃分離部２３０には、分離された塵埃が接線方向に流入して、その内部を流動した後に下方に落下するようにガイドする塵埃ガイド流路２４０が提供される。
【００６８】
他の側面において、塵埃ガイド流路２４０は、分離された塵埃が塵埃分離部２３０から接線方向に排出されるようにガイドする機能を果たす。
【００６９】
詳細には、塵埃ガイド流路２４０の入口２４２は、第１サイクロン部２３１の下側部に形成される。そして、塵埃ガイド流路２４０の出口２４４は、底面部２３２に上下に貫通して成形される。
【００７０】
そして、入口２４２の面積と出口２４４の面積は、略等しく形成されて、塵埃の流入及び排出が円滑になるようにする。
【００７１】
そして、塵埃ガイド流路２４０の入口２４２側には、分離された塵埃が第１サイクロン部２３１の接線方向に流入するようにガイドするガイドリブ２４５が形成される。そして、ガイドリブ２４５は、第１サイクロン部２３１から外側に接線方向に伸び、その終端は、底面部２３２の外周に至るように形成される。
【００７２】
そして、塵埃ガイド流路２４０を形成する上面部２４６は、第１サイクロン部２３１の外側に垂直に形成され、入口２４２側のガイドリブ２４５から出口２４４側の端部に伸びて成形される。
【００７３】
そして、塵埃ガイド流路２４０の幅は、上面部２４６の幅と等しくなる。そして、上述のように、第１サイクロン部２３１が底面部２３２に対して偏心して形成されることによって、塵埃ガイド流路２４０の幅が所定の大きさ以上に確保されて、体積の大きい塵埃が塵埃ガイド流路２４０の内部に流動することが可能になる。
【００７４】
そして、上面部２４６は、塵埃が円滑に流動されるように、入口２４２側から出口２４４側に行くほど下方に折り曲げられるように形成される。
【００７５】
したがって、上面部２４６が下方に折り曲げ成形されることにより、塵埃ガイド流路２４０の断面積は、入口２４２側から出口２４４側に行くほど減少する。
【００７６】
ここで、塵埃ガイド流路２４０の断面積が入口２４２側から出口２４４側へ行くほど減少するように形成されても、塵埃ガイド流路２４０の出口２４４が下側に形成されるので、塵埃が出口２４４に円滑に排出されるようになる。
【００７７】
上記の構成によって、第１サイクロン部２３１から分離された塵埃は、接線方向に塵埃ガイド流路２４０に排出される。そして、塵埃ガイド流路２４０に流入した塵埃は、その内部で流動方向が切り替えられて、第１サイクロン部２３１の外周面に沿って流動する。そして、塵埃は、出口２４４を介して下方に落下して、第１塵埃捕集部２１４に捕集される。
【００７８】
したがって、第１サイクロン部２３１から分離された塵埃が第１サイクロン部２３１の接線方向に排出されることにより、すなわち、塵埃の回転方向と同じ方向に排出されることによって、密度の比較的大きな塵埃が容易に排出されるだけでなく、密度の比較的小さな塵埃も、第１サイクロン部２３１から容易に排出される。
【００７９】
また、密度の小さな塵埃が容易に排出されることによって、フィルタ部材２５０に密度の小さな塵埃が蓄積されなくなって、空気の円滑な流動が可能になり、これにより、塵埃分離性能が向上するという効果をさらに得ることができる。
【００８０】
また、塵埃ガイド流路２４０に流入した塵埃が、その内部でその流動方向が切り替えられて第１塵埃捕集部２１４に排出されることによって、第１塵埃捕集部２１４に捕集された塵埃が飛散することが防止され、第１サイクロン部２３１に逆流することが防止される。
【００８１】
すなわち、塵埃ガイド流路２４０を介して逆流する塵埃の流動方向と塵埃ガイド流路２４０に流入する塵埃の流動方向とが反対方向になるので、第１塵埃捕集部２１４に捕集された塵埃の逆流が防止されることになる。
【００８２】
ここで、第１塵埃捕集部２１４に捕集された塵埃の逆流を効果的に防止するためには、入口２４２側の端部に、水平方向に逆流防止リブ２４７を形成する。すなわち、逆流防止リブ２４７によって、塵埃ガイド流路２４０の入口２４２と出口２４４とが所定距離離隔して位置する。
【００８３】
以下では、集塵装置２００の内部での空気及び塵埃の流動過程について説明する。
【００８４】
図８は、本発明の思想に係る集塵装置の内部での塵埃の流動を示す図である。
【００８５】
図８に示すように、吸込ノズルを介して吸い込まれた塵埃が含まれた空気は、掃除機本体１００の内部流路を経て集塵装置２００の内部に吸い込まれる。
【００８６】
詳細には、塵埃が含まれた空気は、集塵ボディー２１０の吸込管２１８及び第１サイクロン部２３１の吸込部２３６を介して、第１サイクロン部２３１の接線方向に吸い込まれる。そして、吸い込まれた空気は、第１サイクロン部２３１の内周面に沿って旋回しながら落下し、この過程で空気と塵埃は、その重量差によりそれぞれ異なる遠心力を受けながら互いに分離される。
【００８７】
そして、塵埃が分離された空気は、フィルタ部材２５０の通孔２５２を介してろ過された後、空気排出孔２７２を介して集塵装置２００の外部に排出される。
【００８８】
一方、分離された塵埃は、第１サイクロン部２３１の内周面に沿って旋回される過程で、第１サイクロン部２３１から接線方向に塵埃ガイド流路２４０に流入する。
【００８９】
ここで、密度の比較的大きな塵埃は、その自重及び塵埃ガイド流路２４０の入口２４２側に形成されたガイドリブ２４５によってその螺旋流動が維持されて、塵埃ガイド流路２４０に容易に排出される。
【００９０】
そして、密度の比較的小さな塵埃は、その自重によっては塵埃ガイド流路２４０に容易に排出され難くても、ガイドリブ２４５によってその螺旋流動方向が維持されて、塵埃ガイド流路２４０に容易に排出される。
【００９１】
そして、塵埃ガイド流路２４０に流入した塵埃は、塵埃ガイド流路２４０の内部で流動方向が切り替えられて、第１サイクロン部２３１の外周面に沿って流動される。そして、第１サイクロン部２３１の外周面に沿って流動される塵埃は、出口２４４を介して下方に落下して、第１塵埃捕集部２１４に捕集される。
【００９２】
一方、空気排出孔２７２を介して排出された空気は、掃除機本体１００に流入し、連通流路を経て第２サイクロン部３００に流入する。そして、第２サイクロン部３００に流入した空気は、その内部を流動しながら塵埃が再度分離される。
【００９３】
そして、塵埃が分離された空気は、掃除機本体１００の内部に流入した後に、掃除機本体１００の本体排出部を介して掃除機の外部に排出される。
【００９４】
これに対し、分離された塵埃は、塵埃流入口２７４及び塵埃排出口２７６を介して集塵装置２００に流入し、最終的に第２塵埃捕集部２１６に捕集される。
【００９５】
図９は、本発明の第２の実施の形態に係る塵埃分離部の外観斜視図である。
【００９６】
本実施の形態は、他の部分においては元の実施の形態と同じであり、但し、第１サイクロン部の外側に別途の壁がさらに形成されることを特徴とする。したがって、塵埃分離部の説明において具体的に提示されない部分は、元の実施の形態の説明を援用して具体的な説明は省略する。
【００９７】
図９に示すように、本実施の形態に係る塵埃分離部４３０には、外形をなす外壁４３３と、外壁４３３に対して偏心して位置し、吸い込まれる空気中の塵埃が分離されるようにする内壁４３１と、塵埃分離部４３０の底面を形成する底面部４３２と、が含まれる。そして、外壁４３３と内壁４３１との間の空間に塵埃ガイド流路４４０が形成される。ここで、内壁４３１は、吸い込まれた空気中の塵埃がサイクロン流動によって分離されるようにするので、第１サイクロン部と名付けることができる。
【００９８】
詳細には、外壁４３３は、集塵ボディー２１０の内径と対応する大きさに形成される。そして、塵埃分離部４３０には、塵埃が含まれた空気が流入するようにする吸込部４３６が外壁４３３から伸びて内壁４３１に至るように形成される。そして、吸込部４３６は、内壁４３１に対して接線方向に形成される。
【００９９】
そして、塵埃ガイド流路４４０の入口４４２は、内壁４３１に形成され、出口４４４は、底面部４３２に形成される。したがって、塵埃ガイド流路４４０に流入した塵埃は、内壁４３１の外周面及び外壁４３３の内周面により流動がガイドされる。
【０１００】
そして、塵埃ガイド流路４４０の入口４４２側には、第１サイクロン部から分離された塵埃が接線方向に排出されるようにガイドするガイドリブ４４５が形成される。そして、ガイドリブ４４５は、入口４４２側の端部から内壁４３１に接線方向に伸び、その終端は、外壁４３３に至る。
【０１０１】
そして、塵埃ガイド流路４４０を形成する上面部４４６は、ガイドリブ４３５から伸びて出口４４４側の端部まで至る。そして、上面部４４６は、内壁４３３及び外壁４３１に垂直に形成され、入口４４２側から出口４４４側へ行くほど、下方に折り曲げられるように形成される。
【０１０２】
ここで、外壁４３３は、塵埃の流動をガイドするだけでなく、塵埃分離部４３０の美観を向上させる機能を果たす。
【０１０３】
すなわち、塵埃分離部４３０は、上述のようにカバー部材２７０と結合され、これにより、カバー部材２７０が集塵ボディー２１０から分離されると、塵埃分離部４３０も同時に分離される。このような場合、塵埃分離部４３０の構造が外部に露出する。
【０１０４】
したがって、塵埃分離部４３０に外壁４３３が提供されることによって、塵埃分離部４３０の外形が全体的に円筒状に形成されて、その構造が単純に見えるようになるので、美観が向上し、塵埃分離部４３０の内部構造が直接的に外部に露出しなくなる。
【０１０５】
そして、塵埃分離部４３０に外壁４３３がさらに提供されることによって、塵埃分離部４３０が集塵ボディー２１０から分離される過程でユーザが塵埃ガイド流路４４０を形成するガイドリブ４４５、上面部４４６などによって被害を受けることが防止されるという効果がある。
【０１０６】
図１０は、本発明の第３の実施の形態に係る集塵装置の断面図である。
【０１０７】
本実施の形態は、他の部分においては元の実施の形態と同じであり、但し、塵埃分離部が集塵ボディーに一体に形成されることを特徴とする。したがって、集塵ボディーの説明において具体的に提示されない部分は、元の実施の形態の説明を援用して具体的な説明は省略する。
【０１０８】
図１０に示すように、本実施の形態に係る集塵装置５００には、外形をなす集塵ボディー５１０と、集塵ボディー５１０の内部の上側に提供されて、吸い込まれた塵埃を分離する塵埃分離部５１４と、塵埃分離部５１４の下側に提供されて分離された塵埃を捕集する第１塵埃捕集部５１５と、集塵ボディー５１０の上側を選択的に遮蔽させるカバー部材５３０と、集塵ボディー５１０の下側を選択的に遮蔽させる下側カバー５５０と、が含まれる。
【０１０９】
詳細には、集塵ボディー５１０は、分離板５１７によって上下に区画され、分離板５１７の上側に塵埃分離部５１４が形成され、下側に第１塵埃捕集部５１５が形成される。
【０１１０】
そして、塵埃分離部５１４は、集塵ボディー５１０の外形をなす外壁５１１と内壁５１３との間の空間に形成される。このとき、分離板５１７は、塵埃分離部５１４と第１塵埃捕集部５１５とを区画させる機能のほかに、第１塵埃捕集部５１５に捕集された塵埃が塵埃分離部５１４に逆流することを防止する機能を果たす。
【０１１１】
そして、集塵ボディー５１０の内壁５１３と外壁５１１との間には、中間壁５１２が形成され、中間壁５１２と外壁５１１との間に第２サイクロン部３００から分離された塵埃が捕集される第２塵埃捕集部５１６が形成される。
【０１１２】
したがって、集塵ボディー５１０には、内壁５１３、中間壁５１２、外壁５１１及び分離板５１７によって、塵埃分離部５１４及び第１、第２塵埃捕集部５１５、５１６が形成される。
【０１１３】
一方、塵埃分離部５１４と第１塵埃捕集部５１５は、分離板５１７によって区画された状態で塵埃ガイド流路５２０によって連通する。
【０１１４】
詳細には、塵埃ガイド流路５２０は、塵埃分離部５１４の外側に形成され、塵埃分離部５１４から分離された塵埃が接線方向に排出されるようにガイドする。このために、塵埃ガイド流路５２０は、その入口５２２が塵埃分離部５１４の側部に形成され、出口が分離板５１７に形成される。
【０１１５】
したがって、塵埃分離部５１４から分離された塵埃は、塵埃分離部５１４の接線方向に塵埃ガイド流路５２０に流入（または塵埃分離部５１４から排出）し、塵埃ガイド流路５２０の内部に沿って流動した塵埃は下方に落下して、第１塵埃捕集部５１５に捕集される。
【０１１６】
一方、カバー部材５３０は、集塵ボディー５１０の上側に着脱可能に結合される。すなわち、カバー部材５３０は、塵埃分離部５１４と第２塵埃捕集部５１６を同時に開閉する。
【０１１７】
そして、カバー部材５３０には、塵埃分離部５１４から塵埃が分離された空気が排出される空気排出孔５３２が貫通して成形される。そして、空気排出孔５３２には、外周面に所定の大きさの通孔５４２が複数形成されたフィルタ部材５４０の上端が結合される。
【０１１８】
また、カバー部材５３０には、第２サイクロン部３００から分離された塵埃が流入する塵埃流入口５３４が形成される。そして、カバー部材５３０の底面には、塵埃流入口５３４に流入した塵埃を第２塵埃捕集部５１６に排出させる塵埃排出口５３６が形成される。
【０１１９】
一方、下側カバー５５０は、集塵ボディー５１０の下側に着脱可能に結合される。すなわち、下側カバー５５０は、第１塵埃捕集部５１５と第２塵埃捕集部５１６を同時に開閉する。したがって、下側カバー５５０を開閉することによって、ユーザは、第１塵埃捕集部５１５及び第２塵埃捕集部５１６に捕集された塵埃を排出させることができる。
【０１２０】
ここで、第２塵埃捕集部５１６に捕集された塵埃は、カバー部材５３０及び下側カバー５５０のうちの何れか１つを開放させることによって、外部に排出させることができる。
【０１２１】
本実施の形態によると、ユーザがカバー部材５３０を開放する際に塵埃分離部及び塵埃ガイド流路の構造が外部に露出しないため、美感が向上するという効果があり、下側カバー５５０を開閉させることだけで第１、第２塵埃捕集部５１４、５１６に捕集された塵埃を容易に排出させることができる。
【０１２２】
また、第２塵埃捕集部５１６が上下に開口するように形成されるので、ユーザが集塵ボディー５１０の内部を容易に掃除できるという効果がある。
【０１２３】
以上では、集塵装置が適用される掃除機としてキャニスタ方式の真空掃除機を説明したが、本発明は、上述の実施の形態に限定されず、アップライト方式の真空掃除機やロボット掃除機にも適用できる。
【図面の簡単な説明】
【０１２４】
【図１】本発明の一実施の形態に係る真空掃除機の外観斜視図である。
【図２】本発明の一実施の形態に係る集塵装置の斜視図である。
【図３】集塵装置の分解斜視図である。
【図４】集塵装置の垂直断面図である。
【図５】本発明の思想に係る塵埃分離部の外観斜視図である。
【図６】本発明の思想に係る塵埃分離部の外観斜視図である。
【図７】塵埃分離部の平面図である。
【図８】本発明の思想に係る集塵装置の内部での塵埃の流動を示す図である。
【図９】本発明の第２の実施の形態に係る塵埃分離部の外観斜視図である。
【図１０】本発明の第３の実施の形態に係る集塵装置の断面図である。
【符号の説明】
【０１２５】
１０    真空掃除機
１００    本体
１１０    本体吸込部
１２０    本体取っ手部
１３０    着脱手段
２００    集塵装置
２１０    集塵ボディー
２１１    第１壁
２１２    第２壁
２１４    第１塵埃捕集部
２１６    第２塵埃捕集部
２１８    吸込管
２１９    顎部
２３０    塵埃分離部
２３１    第１サイクロン部
２３２    底面部
２３６    吸込部
２４０    塵埃ガイド流路
２４２    塵埃ガイド流路入口
２４４    塵埃ガイド流路出口
２４５    ガイドリブ
２４６    上面部
２４７    逆流防止リブ
２５０    フィルタ部材
２５２    通孔
２７０    カバー部材
２７２    空気排出孔
２７４    塵埃流入口
２７６    塵埃排出口
３００    第２サイクロン部
４３０    塵埃分離部
４３１    塵埃分離部内壁
４３２    塵埃分離部底面部
４３３    塵埃分離部外壁
４３６    塵埃分離部吸込部
４４０    塵埃ガイド流路
４４２    塵埃ガイド流路入口
４４４    塵埃ガイド流路出口
４４５    塵埃ガイド流路リブ
４４６    塵埃ガイド流路上面部
５００    集塵装置
５１０    集塵ボディー
５１１    集塵ボディー外壁
５１２    集塵ボディー中間壁
５１３    集塵ボディー内壁
５１４    塵埃分離部
５１５    第１塵埃捕集部
５１６    第２塵埃捕集部
５１７    分離板
５２０    塵埃ガイド流路
５２２    塵埃ガイド流路入口
５３０    カバー部材
５３２    空気排出孔
５３４    塵埃流入口
５３６    塵埃排出口
５４０    フィルタ部材
５５０    下側カバー
Ｃ１    底面部の中心
Ｃ２    第１サイクロン部の中心
【図１】
2007275591.tif 000003
【図２】
2007275591.tif 000004
【図３】
2007275591.tif 000005
【図４】
2007275591.tif 000006
【図５】
2007275591.tif 000007
【図６】
2007275591.tif 000008
【図７】
2007275591.tif 000009
【図８】
2007275591.tif 000010
【図９】
2007275591.tif 000011
【図１０】
2007275591.tif 000012